【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
ビデオ復号化のための方法であって、
ピクチャの複数の画像ブロックを予測するために使用され、かつ、前記ピクチャの画像ブロックを予測するための単一の参照ピクチャを含む１つ又は複数の参照ピクチャの各スライス又は各ピクチャに対する重み付け係数を示す信号を、ビットストリームで受信する工程と、
前記単一の参照ピクチャ及び前記単一の参照ピクチャに対する重み付け係数を使用して前記画像ブロックを予測する工程と、
前記予測された画像ブロックに基づき前記画像ブロックを復号化する工程と、
を備える、方法。
【請求項２】
前記予測する工程は、
前記単一の参照ピクチャから前記画像ブロックの動き補償を行う工程と、
前記単一の参照ピクチャに対する前記重み付け係数を使用して、前記動き補償後の画像ブロックを重み付けする工程と、を備える、
請求項１に記載の方法。
【請求項３】
前記復号化する工程は、前記重み付けされた動き補償後の画像ブロックを、前記画像ブロックの残差データに加算する工程を備える、請求項２に記載の方法。
【請求項４】
複数の参照ピクチャは、前記ピクチャの前記複数の画像ブロックを予測するために使用され、参照ピクチャ・インデックスは、前記画像ブロックを予測するためにどの参照ピクチャが使用されるかを示す、請求項１に記載の方法。
【請求項５】
前記ビットストリームにおいて、許容できる参照ピクチャの数を受信する工程を更に備える、請求項１に記載の方法。
【請求項６】
前記許容できる参照ピクチャの数は、スライス・ヘッダに含まれる、請求項５に記載の方法。
【請求項７】
少なくとも１つのメモリと、１つ又は複数のプロセッサとを備えるビデオ復号化のための装置であって、
前記１つ又は複数のプロセッサは、
ピクチャの複数の画像ブロックを予測するために使用され、かつ、前記ピクチャの画像ブロックを予測するための単一の参照ピクチャを含む１つ又は複数の参照ピクチャの各スライス又は各ピクチャに対する重み付け係数を示す信号をビットストリームで受信し、
前記単一の参照ピクチャ及び前記単一の参照ピクチャに対する重み付け係数を使用して前記画像ブロックを予測し、
前記予測された画像ブロックに基づき前記画像ブロックを復号化するように構成されている、
装置。
【請求項８】
前記１つ又は複数のプロセッサは、
前記単一の参照ピクチャから前記画像ブロックの動き補償を行い、
前記単一の参照ピクチャに対する前記重み付け係数を使用して、前記動き補償後の画像ブロックを重み付けするように構成されている、
請求項７に記載の装置。
【請求項９】
前記１つ又は複数のプロセッサは、更に、前記重み付けされた動き補償後の画像ブロックを、前記画像ブロックの残差データに加算するように構成されている、請求項８に記載の装置。
【請求項１０】
複数の参照ピクチャは、前記ピクチャの前記複数の画像ブロックを予測するために使用され、参照ピクチャ・インデックスは、前記画像ブロックを予測するためにどの参照ピクチャが使用されるかを示す、請求項７に記載の装置。
【請求項１１】
前記１つ又は複数のプロセッサは、記ビットストリームにおいて、許容できる参照ピクチャの数を受信するように構成されている、請求項７に記載の装置。
【請求項１２】
前記許容できる参照ピクチャの数は、スライス・ヘッダに含まれる、請求項１１に記載の装置。
【手続補正２】
【補正対象書類名】明細書
【補正対象項目名】００４７
【補正方法】変更
【補正の内容】
【００４７】
上記説明用実施例は添付図面を参照しながら本明細書及び特許請求の範囲に記載したが、本発明はまさにそれらの実施例に限定するものでなく、種々の変更及び修正をそれらの実施例において、当該技術分野における当業者によって本発明の範囲又は趣旨から逸脱することなく、行い得るものとする。そのような変更及び修正は全て、本特許請求の範囲に示す本発明の範囲内に含まれることが意図されている。
［付記１］
複数の画像ブロックを有するピクチャのビデオ・データを生成するために符号化する方法であって、前記ビデオ・データは、前記複数の画像ブロックのうちの１つの画像ブロックの符号化データ、及び該画像ブロックのための単一の参照ピクチャ・インデックスを含み、
前記画像ブロック、及び該画像ブロックを符号化するための前記単一の参照ピクチャ・インデックスにアクセスする工程であって、前記アクセスされた単一の参照ピクチャ・インデックスは、画像ブロックを符号化するのに利用可能な参照ピクチャ群から特定の参照ピクチャを決定する前記工程と、
前記特定の参照ピクチャ及び重み付け係数を使用して、前記画像ブロックを符号化する工程であって、前記アクセスされた単一の参照ピクチャ・インデックスは、画像ブロックを符号化するのに利用可能な重み付け係数群から前記重み付け係数を決定する前記工程と、を備える、前記方法。
［付記２］
前記特定の参照ピクチャからのブロックの動き補償を行い、動き補償参照ピクチャ予測子を形成する工程と、
前記重み付け係数を使用して前記動き補償参照ピクチャ予測子を重み付けし、重み付け動き補償参照ピクチャ予測子を形成する工程と、
オフセットを決定する工程と、
前記オフセットを使用して前記重み付け動き補償参照ピクチャ予測子を調節し、調節された重み付け動き補償参照ピクチャ予測子を形成する工程と、
を備える、付記１記載の方法。
［付記３］
前記調節された重み付け動き補償参照ピクチャ予測子及び前記画像ブロックを減算する工程を更に備える、付記２記載の方法。
［付記４］
画像ブロックのビデオ・データを生成するために符号化するビデオ符号器であって、前記ビデオ・データは、前記画像ブロックの符号化データ、及び該画像ブロックのための単一の参照ピクチャ・インデックスを含み、
前記画像ブロックに対して重み付け係数を割り当てる参照ピクチャ重み付け係数割り当て器であって、前記単一の参照ピクチャ・インデックスは、画像ブロックを符号化するのに利用可能な重み付け係数群から前記重み付け係数を決定し、前記単一の参照ピクチャ・インデックスはまた、画像ブロックを符号化するのに利用可能な参照ピクチャ群から特定の参照ピクチャを決定する、前記参照ピクチャ重み付け係数割り当て器と、
前記特定の参照ピクチャから動き補償参照ピクチャ予測子を生成する動き補償器と、
前記重み付け係数を前記動き補償参照ピクチャ予測子に適用する乗算器と、
を備える、前記ビデオ符号器。
［付記５］
オフセットを決定する手段と、
前記オフセットを使用して前記重み付け動き補償参照ピクチャ予測子を調節し、調節された重み付け動き補償参照ピクチャ予測子を形成する手段と、
を更に備える、付記４記載のビデオ符号器。
［付記６］
前記調節された重み付け動き補償参照ピクチャ予測子及び前記画像ブロックを減算する手段を更に備える、付記５記載のビデオ符号器。
［付記７］
複数の画像ブロックを有するピクチャのビデオ・データを生成するために符号化するプログラムを記録した記録媒体であって、前記ビデオ・データは、前記複数の画像ブロックのうちの１つの画像ブロックの符号化データ、及び該画像ブロックのための単一の参照ピクチャ・インデックスを含み、前記プログラムは、コンピューター上で、
前記画像ブロック、及び該画像ブロックを符号化するための前記単一の参照ピクチャ・インデックスにアクセスする工程であって、前記アクセスされた単一の参照ピクチャ・インデックスは、画像ブロックを符号化するのに利用可能な参照ピクチャ群から特定の参照ピクチャを決定する前記工程と、
前記特定の参照ピクチャ及び重み付け係数を使用して、前記画像ブロックを符号化する工程であって、前記アクセスされた単一の参照ピクチャ・インデックスは、画像ブロックを符号化するのに利用可能な重み付け係数群から前記重み付け係数を決定する前記工程と、を実行する、前記記録媒体。
［付記８］
前記プログラムは、コンピューター上で、前記画像ブロックの符号化の一部として、
前記特定の参照ピクチャから動き補償参照ピクチャ予測子を提供する工程と、
前記重み付け係数を前記動き補償参照ピクチャ予測子に適用する工程と、
オフセットを決定する工程と、
前記オフセットを使用して前記重み付け動き補償参照ピクチャ予測子を調節し、調節された重み付け動き補償参照ピクチャ予測子を形成する工程と、
を更に実行する、付記７記載の記録媒体。
［付記９］
前記プログラムは、コンピューター上で、前記画像ブロックの符号化の一部として、
前記調節された重み付け動き補償参照ピクチャ予測子及び前記画像ブロックを減算する工程を更に実行する、付記８記載の記録媒体。